(57)【要約】【課題】フィット性を高めることが可能な吸収性物品に関する。【解決手段】吸収性物品は、表面シート、吸収体及び裏面シートを有する本体と、縦方向に沿って延びる圧搾溝と、横方向に突出するウイング部と、を備える。圧搾溝は、中間溝と、第１非圧搾領域を挟んで中間溝の前方に位置する前方溝と、第２非圧搾領域を挟んで中間溝の後方に位置する後方溝と、を有し、吸収体は、本体の中間領域に位置する高坪量部と、高坪量部の周囲に位置する低坪量部と、を有する。第１非圧搾領域は、高坪量部の前端部上に位置し、かつ複数の個装折り線のいずれよりも縦方向前方に位置する。第２非圧搾領域は、高坪量部の後端部よりも前方に位置する。中間溝は、縦方向においてウイング部の基端部の第１の長さよりも長い第２の長さにわたって形成される。【選択図】図１
2020039509.tif 000002
【特許請求の範囲】
【請求項１】
表面シート、吸収体及び裏面シートを有し縦方向に沿って前方領域、中間領域及び後方領域に区分される本体と、前記本体の前記表面シート側に形成され前記縦方向に沿って延びる圧搾溝と、前記本体から前記縦方向と直交する横方向に突出するウイング部と、を備えた吸収性物品であって、
前記圧搾溝は、
前記本体の前記中間領域に形成され、前記縦方向にそれぞれ延び前記横方向に相互に対向する一対の中間溝と、
前記圧搾溝が形成されない領域であって前記横方向に沿って延びる第１非圧搾領域を挟んで、前記中間溝の前記縦方向前方に位置する前方溝と、
前記圧搾溝が形成されない領域であって前記横方向に沿って延びる第２非圧搾領域を挟んで、前記中間溝の前記縦方向後方に位置する後方溝と、を有し、
前記吸収体は、
前記本体の前記中間領域に位置する高坪量部と、
前記高坪量部の周囲に位置し、前記高坪量部よりも坪量の低い低坪量部と、を有し、
前記第１非圧搾領域は、前記高坪量部の前端部上に位置し、かつ個包装時に前記縦方向に折り畳まれることで形成された複数の個装折り線のいずれよりも前記縦方向前方に位置し、
前記第２非圧搾領域は、前記高坪量部の後端部よりも前方に位置し、
前記中間溝は、前記縦方向において、前記ウイング部の前記本体との境界部分である基端部の第１の長さよりも長い第２の長さにわたって形成される
吸収性物品。
【請求項２】
前記高坪量部は、前記前端部及び前記後端部から構成された前記横方向に延びる２つの短辺と、前記縦方向に延びる２つの長辺と、を有する
請求項１に記載の吸収性物品。
【請求項３】
前記対をなす中間溝は、横方向に沿った対向幅が、前記縦方向中央部において最も狭くなるように構成される
請求項１又は２に記載の吸収性物品。
【請求項４】
前記吸収体は、前記中間領域において前記吸収体の厚み方向に形成され、前記横方向に相互に離間する複数のスリットを有する
請求項１ないし３のいずれか一項に記載の吸収性物品。
【発明の詳細な説明】
【技術分野】
【０００１】
本発明は、生理用ナプキン等の吸収性物品に関する。
【背景技術】
【０００２】
排泄された液の漏れ防止や好ましい変形を発現させる等の観点から、吸収性物品の液透過性の表面側に線状の圧搾溝を設けた構成が知られている。
例えば、特許文献１には、吸収性物品の肌当接面側に、左右圧搾条溝と、前方部圧搾条溝と、後方部圧搾条溝とに分離した圧搾条溝が形成されており、その分離部分において、それらの圧搾条溝の内、最も幅方向内側に位置する圧搾条溝の端部が、長手方向中心線と平行になるか又は幅方向外側に向くように形成された構成が記載されている。
また、特許文献２には、吸収性物品の肌当接面に、長手方向に沿って形成された一対の前方溝と、幅方向に沿って形成された後方溝を有する構成が記載されている。
【先行技術文献】
【特許文献】
【０００３】
【特許文献１】特開２０１０−１４８７１９号公報
【特許文献２】特開２００７−７４５６号公報
【発明の概要】
【発明が解決しようとする課題】
【０００４】
しかしながら、特許文献１及び２には、各圧搾溝の分断された領域における変形を制御し、フィット性を高めることについては記載されていない。
【０００５】
本発明の課題は、フィット性を高めることが可能な吸収性物品に関する。
【課題を解決するための手段】
【０００６】
本発明の一形態に係る吸収性物品は、表面シート、吸収体及び裏面シートを有し縦方向に沿って前方領域、中間領域及び後方領域に区分される本体と、上記本体の上記表面シート側に形成され上記縦方向に沿って延びる圧搾溝と、上記本体から上記縦方向と直交する横方向に突出するウイング部と、を備える。
上記圧搾溝は、
上記本体の上記中間領域に形成され、上記縦方向にそれぞれ延び上記横方向に相互に対向する少なくとも一対の中間溝と、
上記圧搾溝が形成されない領域であって上記横方向に沿って延びる第１非圧搾領域を挟んで、上記中間溝の前記縦方向前方に位置する前方溝と、
上記圧搾溝が形成されない領域であって上記横方向に沿って延びる第２非圧搾領域を挟んで、上記中間溝の前記縦方向後方に位置する後方溝と、を有する。
上記吸収体は、
上記本体の上記中間領域に位置する高坪量部と、
上記高坪量部の周囲に位置し、上記高坪量部よりも坪量の低い低坪量部と、を有する。
上記第１非圧搾領域は、上記高坪量部の前端部上に位置し、かつ個包装時に上記縦方向に折り畳まれることで形成された複数の個装折り線のいずれよりも上記縦方向前方に位置する。
上記第２非圧搾領域は、上記高坪量部の後端部よりも前方に位置する。
上記中間溝は、上記縦方向において、上記ウイング部の上記本体との境界部分である基端部の第１の長さよりも長い第２の長さにわたって形成される。
【発明の効果】
【０００７】
以上のように、本発明の吸収性物品によれば、フィット性を高めることが可能である。
【図面の簡単な説明】
【０００８】
【図１】本発明の一実施形態に係る吸収性物品の平面図である。
【図２】図１のII−II線で切断した断面図である。
【発明を実施するための形態】
【０００９】
以下、図面を参照しながら、本発明の実施形態を説明する。
【００１０】
［ナプキンの全体構成］
本発明の第１実施形態の吸収性物品１は、図１に示すように、本体Ｍと、一対のウイング部Ｗと、圧搾溝６と、を備える。吸収性物品１は、生理用ナプキンとして構成され、以下、ナプキン１と称する。
ナプキン１は、着用者の前後方向に対応する縦方向Ｘと、着用者の左右方向に対応し縦方向Ｘに直交する横方向Ｙとを有する。さらに、ナプキン１は、縦方向Ｘ及び横方向Ｙの双方に直交する厚み方向Ｚを有する。なお、本明細書では、厚み方向Ｚに関しては、着用時に着用者の肌に近い側を上又は肌側、着衣に近い側を下又は非肌側という事がある。
【００１１】
本体Ｍは、縦方向Ｘに沿って延び、着用時に着用者の着衣の内面に固定される。本体Ｍは、後述する吸収体４を有しており、着用者の経血等の液状物（以下、「液」とも称する）を吸収する機能を有する。
本体Ｍは、縦方向Ｘに沿って、前方領域Ｍ１と、中間領域Ｍ２と、後方領域Ｍ３とに区分される。
中間領域Ｍ２は、着用時に着用者の排泄領域に対向する領域である。図１において、中間領域Ｍ２は、本体Ｍにおけるウイング部Ｗの基端部Ｗａが位置する領域である。
前方領域Ｍ１は、中間領域Ｍ２の前方（着用者の腹側）に配置される領域であり、着用時に着用者の排泄領域の前方に対向するように構成される。
後方領域Ｍ３は、中間領域Ｍ２の後方（着用者の背側）に配置される領域であり、着用時に着用者の排泄領域の後方に対向するように構成される。
なお、ここでいう着用時は、通常の適正な着用位置（ナプキン１の想定される着用位置）が維持された状態を意味し、ナプキン１が当該着用位置からずれた状態にある場合は含まない。
【００１２】
ウイング部Ｗは、本体Ｍの中間領域Ｍ２から横方向Ｙの外方に大きく突出するように構成される。
【００１３】
圧搾溝６は、本体Ｍの後述する表面シート２側に形成された線状溝である。圧搾溝６の構成については、後述する。
【００１４】
図２に示すように、ナプキン１は、吸収体４と、表面シート２と、裏面シート３と、一対のサイドシート５と、を備える。本体Ｍにおいて、ナプキン１は、裏面シート３、吸収体４及び表面シート２が厚み方向Ｚに積層された構成を有する。これらの構成は、例えば、接着剤やヒートシール等による接合、及び圧搾溝６による圧搾加工等によって、適宜接合されて一体化される。
【００１５】
吸収体４は、縦方向Ｘに長手方向を有し、表面シート２と裏面シート３との間に配置される。
吸収体４は、液を表面シート２側の面から吸収し、内部で拡散させて当該液を保持する。具体的に、吸収体４は、本体吸収性シート４１及び中央吸収性シート４２の積層体からなり、図２に示すように、中間領域Ｍ２に厚みの厚い高坪量部４３を有している。吸収体４の詳細については後述する。
【００１６】
表面シート２は、液透過性のシート材として構成され、吸収体４の厚み方向Ｚ上方に配置される。なお、表面シート２と吸収体４との間には、表面シート２から吸収体４への液の透過性の向上、吸収体４に吸収された液の表面シート２への液戻りの防止等の観点から、セカンドシート（サブレイヤーシート）７が配置されている。
【００１７】
裏面シート３は、吸収体４の厚み方向Ｚ下方に配置される。裏面シート３は、例えば周縁部において、表面シート２及びサイドシート５と接着剤、熱シール等によって接合される。裏面シート３は、接着剤等によって吸収体４に接合されていてもよい。
裏面シート３は、例えば、液難透過性、水蒸気透過性及び撥水性等の機能を有するシート材で形成される。当該シート材としては、例えば熱可塑性樹脂のフィルムや、当該フィルムと不織布とのラミネート等を用いることができる。
【００１８】
裏面シート３の本体Ｍ及びウイング部Ｗには、図示しないホットメルト粘着剤等の粘着部８が形成されている。粘着部８は、本体Ｍ及びウイング部Ｗにそれぞれ所定パターンで設けられている。粘着部８は、着衣に対して本体Ｍ及びウイング部Ｗを固定するずれ止め材としての機能を有する。
【００１９】
一対のサイドシート５は、表面シート２の横方向Ｙ外側に配置される。サイドシート５の材料としては、表面シート２よりも親水性が小さいシート材料が好ましく、具体的には、表面シート２よりも親水性の低い不織布、フィルム材料、及び不織布とフィルム材料のラミネート構造のシートが挙げられる。サイドシート５の詳細については後述する。
【００２０】
［圧搾溝の構成］
図１及び図２に示すように、圧搾溝６は、本体Ｍの周縁に形成された線状溝であり、本体Ｍの表面シート２側から厚み方向Ｚに圧搾加工することによって形成される。これにより、図２に示すように、圧搾溝６は、表面シート２及び吸収体４が裏面シート３側に向かって一体的に凹陥した構成を有する。
圧搾溝６における「線状」は、溝の形状が平面視において直線状の態様に限られず、曲線状の態様を含む。また、圧搾溝６における各線は、連続線でも破線でも良い。例えば、圧搾溝６は、不連続な多数の凹部（例えば、点エンボス）が列をなして形成されていてもよい。
【００２１】
圧搾溝６は、熱を伴うか又は伴わない圧搾加工、あるいは超音波エンボス等のエンボス加工により常法に従って形成することができる。圧搾溝６においては、表面シート２及び吸収体４が熱融着等により一体化している。
このような構成により、圧搾溝６は、他の領域と比較して剛性が高く、変形しにくい部分となる。このため、圧搾溝６は、ナプキン１が外力を受けた場合に、好ましい変形となりやすい弾性変形の基軸としても機能し得る。
【００２２】
図１に示すように、圧搾溝６は、前方溝６１と、中間溝６２と、後方溝６３と、を有する。前方溝６１は、本体Ｍの前方領域Ｍ１に形成される。中間溝６２は、本体Ｍの中間領域Ｍ２に形成される。後方溝６３は、本体Ｍの後方領域Ｍ３に形成される。
なお、中間溝６２は、前方領域Ｍ１及び後方領域Ｍ３まで延在していてもよい。
【００２３】
中間溝６２は、本体Ｍの横方向Ｙ周縁に位置し、縦方向Ｘに延びる。中間溝６２は、左右に１対形成されている。
「縦方向Ｘに溝が延びる」とは、縦方向Ｘに平行な態様に限定されず、前方から後方に向かって延びる態様を広く含むものとする。すなわち、中間溝６２は湾曲していてもよいし、蛇行していてもよい。また、「縦方向Ｘに溝が延びる」態様は、縦溝が途中で途切れることなく連続している状態に限られず、比較的短い長さ（概ね４ｍｍ未満）の、溝の存在しない途切れ部がある態様も含むものとし、縦溝全体として実質的に縦方向Ｘに連続していれば良い。なお、概ね４ｍｍ未満の短い途切れ部は、後述する非圧搾領域Ｎ１，Ｎ２に含めないものとする。
【００２４】
前方溝６１は、左右の中間溝６２各々から縦方向Ｘ前方へ延び、本体Ｍの前端部近傍でこれらの双方が連結される。
同様に、後方溝６３は、左右の中間溝６２各々から縦方向Ｘ後方へ向かって延び、本体Ｍの後端部近傍でこれらの双方が連結される。
なお、圧搾溝６は、これらの他にも、横方向Ｙに延びる内方溝６４等を適宜有していてもよい。
【００２５】
図１に示すように、ナプキン１では、前方溝６１及び中間溝６２の間、並びに後方溝６３及び中間溝６２の間が途切れており、圧搾溝６が形成されていない非圧搾領域Ｎ１，Ｎ２が、横方向Ｙに沿って存在する。非圧搾領域Ｎ１，Ｎ２は、説明のため、図１においてドットで示している。
前方溝６１は、第１非圧搾領域Ｎ１を挟んで中間溝６２の縦方向Ｘ前方に位置する。
後方溝６３は、第２非圧搾領域Ｎ２を挟んで中間溝６２の縦方向Ｘ後方に位置する。
【００２６】
これらの非圧搾領域Ｎ１，Ｎ２は、縦方向Ｘに沿って延びる圧搾溝６が形成されない、本体Ｍの横方向Ｙ全体に延びる帯状の領域である。
より詳細に、第１非圧搾領域Ｎ１は、前方溝６１のうちの最も縦方向Ｘ後方に位置する端部を通る横方向Ｙに平行な直線と、中間溝６２のうちの最も縦方向Ｘ前方に位置する端部を通る横方向Ｙに平行な直線の間の領域である。
同様に、第２非圧搾領域Ｎ２は、中間溝６２のうちの最も縦方向Ｘ後方に位置する端部を通る横方向Ｙに平行な直線と、後方溝６３のうちの最も縦方向Ｘ前方に位置する端部を通る横方向Ｙに平行な直線の間の領域である。
【００２７】
非圧搾領域Ｎ１，Ｎ２により、前方溝６１、中間溝６２及び後方溝６３各々にフィット性を低下させる変形が生じた場合でも、当該変形の影響が分断される。これにより、ナプキン１全体としてのフィット性の低下を抑制できる。
【００２８】
一方で、非圧搾領域Ｎ１，Ｎ２には剛性の高い圧搾溝６が形成されていないため、多様な変形が発現し得る。このため、比較的剛性の高い構成である吸収体４と第１非圧搾領域Ｎ１及び第２非圧搾領域Ｎ２との位置関係を調整することで、第１非圧搾領域Ｎ１及び第２非圧搾領域Ｎ２における変形を制御し、ナプキン１のフィット性を高めることができる。
【００２９】
［吸収体の構成］
図２及び図１に示すように、吸収体４は、本体Ｍの中間領域Ｍ２に位置する高坪量部４３と、高坪量部４３の周囲に位置し高坪量部４３よりも坪量の低い低坪量部４４と、を有する。
【００３０】
図２に示すように、低坪量部４４は、吸収体４の全体に配置された、上下２層の本体吸収性シート４１を含む。本体吸収性シート４１は、１枚の吸収性シートが巻回された構成でもよいし、２枚の吸収性シートが重ねられた構成でもよい。吸収体４を構成する各吸収性シート４１，４２は、液を吸収及び保持する機能を有するシート材であり、例えば２層のパルプ繊維層に吸収性ポリマーを保持させた構成を有する。
【００３１】
図２に示すように、高坪量部４３は、２層の本体吸収性シート４１の間に中央吸収性シート４２が配置された構成を有する。中央吸収性シート４２は、長方形のシート材が長方形状に折り畳まれている。
図１に示すように、高坪量部４３は、中央吸収性シート４２の前端部及び後端部にそれぞれ対応する、前端部４３ａ及び後端部４３ｂを有する。前端部４３ａ及び後端部４３ｂは、横方向Ｙにそれぞれ延び、例えば直線状に構成される。
高坪量部４３は、中央吸収性シート４２の分だけ低坪量部４４よりも高い坪量を有し、低坪量部４４から厚み方向Ｚに突出した構成を有する。高坪量部４３は、周囲の低坪量部４４よりも剛性が高く、変形しにくい領域となる。
【００３２】
［非圧搾領域と吸収体との位置関係］
図１に示すように、第１非圧搾領域Ｎ１は、高坪量部４３の前端部４３ａ上に位置する。つまり、高坪量部４３の前端部４３ａが、縦方向Ｘにおいて、第１非圧搾領域Ｎ１の前端部と後端部との間に位置する。
つまり、本体Ｍが、剛性差が生じる第１非圧搾領域Ｎ１において、谷折りされるように湾曲しやすくなる。したがって、ナプキン１が、着用者の排泄領域前方の急峻に湾曲する身体形状に沿って湾曲しやすくなり、排泄領域前方におけるナプキン１のフィット性が高められる。
【００３３】
また、第２非圧搾領域Ｎ２は、高坪量部４３の後端部４３ｂよりも前方に位置する。つまり、高坪量部４３は、第２非圧搾領域Ｎ２を縦方向Ｘに横切るように配置される。これにより、第２非圧搾領域Ｎ２では、剛性が適度に高まり折れ変形が抑制され、本体Ｍが臀部の形状に沿って緩やかに湾曲しやすくなる。これにより、排泄領域の後方においてもナプキン１のフィット性が高められる。
【００３４】
［非圧搾領域と個装折り線との位置関係］
図１に示すように、本体Ｍは、個包装時において、表面シート２を上面とした場合に２か所で谷折りされ、３つ折りの状態に保持される。このため、本体Ｍには、横方向Ｙに沿った２本の第１個装折り線Ｆ１及び第２個装折り線Ｆ２が形成される。第１個装折り線Ｆ１は、第２個装折り線Ｆ２よりも前方に位置する。また、高剛性の高坪量部４３の後方部を、使用者の排泄部に効率的にフィットさせる観点から、第２非圧搾領域Ｎ２は、第２個装折り線Ｆ２よりも前方に位置することが好ましい。
【００３５】
図１に示すように、第１非圧搾領域Ｎ１は、第１個装折り線Ｆ１及び第２個装折り線Ｆ２のいずれよりも縦方向Ｘ前方に位置する。これにより、高剛性の高坪量部４３が第１個装折り線Ｆ１を横切るように配置されることになり、第１個装折り線Ｆ１での折れ変形を抑制できる。これにより、上述の第１非圧搾領域Ｎ１での変形を促しやすくなり、フィット性の向上に寄与できる。
【００３６】
第１非圧搾領域Ｎ１の後端部と第１個装折り線Ｆ１との間の縦方向Ｘに沿った距離は、上記作用効果を確実に発現させる観点から、好ましくは１ｍｍ以上、更に好ましくは３ｍｍ以上であり、また、好ましくは１５ｍｍ以下、更に好ましくは１０ｍｍ以下である。
【００３７】
［中間溝（第１非圧搾領域及び第２非圧搾領域）とウイング部との位置関係］
ウイング部Ｗは、着用時において、本体Ｍ（中間領域Ｍ２）との境界部分である基端部Ｗａでナプキン１の裏側に折り返され、ショーツ等の着衣の非肌側に固定される。このため、ウイング部Ｗに挟まれた本体Ｍの中間領域Ｍ２は、着用時に横方向Ｙに張力が付加された状態となり、縦方向Ｘに折れ曲がる変形が起こりにくくなる。
そこで、上述の身体形状に沿った好ましい変形を確実に発現させる観点から、中間溝６２は、縦方向Ｘにおいて、ウイング部Ｗが本体Ｍに接続する基端部Ｗａの第１の長さＤ１よりも長い第２の長さＤ２にわたって形成される。これにより、第１非圧搾領域Ｎ１及び第２非圧搾領域Ｎ２が、中間領域Ｍ２の外側にそれぞれ位置することになる。したがって、第１非圧搾領域Ｎ１及び第２非圧搾領域Ｎ２における上記変形がより確実に発現される。
【００３８】
上記作用効果を確実に発現させる観点から、ウイング部Ｗの基端部Ｗａにおける縦方向Ｘに沿った長さＤ１は、好ましくは４０ｍｍ以上、更に好ましくは７０ｍｍ以上であり、また、好ましくは１００ｍｍ以下、更に好ましくは９０ｍｍ以下である。
また、中間溝６２の縦方向Ｘに沿った長さＤ２は、好ましくは５０ｍｍ以上、更に好ましくは８０ｍｍ以上であり、また、好ましくは１３０ｍｍ以下、更に好ましくは１１０ｍｍ以下である。
【００３９】
［高坪量部の平面形状］
図１に示すように、高坪量部４３は、平面視において、長方形状に折り畳まれた中央吸収性シート４２の外縁に沿って略長方形状に構成される。なお、「平面視」とは、厚み方向Ｚから見た平面形状をいう。
具体的には、高坪量部４３は、前端部４３ａ及び後端部４３ｂから構成された横方向Ｙに延びる２つの短辺４６と、縦方向Ｘに延びる２つの長辺４７と、を有する。各短辺４６は、横方向Ｙに平行な直線状に構成され、各長辺４７は、縦方向Ｘに平行な直線状に構成される。各短辺４６及び各長辺４７を接続する部分は、角を構成していてもよく、丸みを帯びていてもよい。なお、本実施形態では、各長辺４７は吸収体４の横方向Ｙ両端部よりも内側に位置していたが、各長辺４７は、吸収体４の横方向Ｙの左右両端部と重なっていても良い。
【００４０】
高坪量部４３が短辺４６及び長辺４７を含む略長方形状に構成されることで、第１非圧搾領域Ｎ１が短辺４６に沿って折れ曲がりやすくなり、縦方向Ｘに湾曲しやすくなる。これにより、フィット性をより確実に向上させることができる。
【００４１】
高坪量部４３の前端部４３ａから後端部４３ｂまでの縦方向Ｘの長さ、すなわち高坪量部４３は、好ましくは６０ｍｍ以上、更に好ましくは７０ｍｍ以上であり、また、好ましくは１６０ｍｍ以下、更に好ましくは１４０ｍｍ以下である。高坪量部４３の長辺４７間の横方向Ｙに沿った長さは、好ましくは３０ｍｍ以上、更に好ましくは４０ｍｍ以上であり、また、好ましくは９０ｍｍ以下、更に好ましくは８０ｍｍ以下である。
【００４２】
［中間溝のより詳細な形状］
図１に示すように、対をなす中間溝６２は、横方向Ｙに沿った対向幅が縦方向Ｘ中央部（中央部）６２ｃにおいて最も狭くなるように構成される。つまり、中間溝６２は、中央部６２ｃにおいて横方向Ｙ内方に括れた形状をなす。
なお、中央部６２ｃは、例えば中間溝６２を縦方向Ｘに３等分割した場合の前後から２番目の領域に含まれていればよい。
【００４３】
着用時に、本体Ｍの中間領域Ｍ２には、大腿部によって横方向Ｙから圧縮される方向の外力が付加される。中間溝６２は剛性が高く変形しにくいため、外力に対する弾性変形の基軸となり、中間溝６２の対向領域が肌方向（厚み方向Ｚ上方）に隆起するような変形を誘導する。この変形により、中間溝６２の対向領域と着用者の排泄領域とのフィット性が高まるとともに、外力が緩衝される。
中間溝６２が括れた形状を有することで、中間溝６２を基軸として大腿部の形状に沿った形状に変形しやすくなる。これにより中間溝６２における外力の緩衝作用がより確実に発揮され、非圧搾領域Ｎ１，Ｎ２への変形の伝搬が抑制される。したがって、上述の非圧搾領域Ｎ１，Ｎ２における好ましい変形がより確実に発現される。
なお、上記作用効果を確実に発現させる観点から、中間溝６２の中央部６２ｃの対向幅は、好ましくは３０ｍｍ以上、更に好ましくは４０ｍｍ以上であり、また、好ましくは９０ｍｍ以下、更に好ましくは８０ｍｍ以下である。
【００４４】
［吸収体のスリットの構成］
図２に示すように、吸収体４は、中間領域Ｍ２において厚み方向Ｚに形成され、横方向Ｙに相互に離間する複数のスリットＳを有する。スリットＳは、吸収体４を厚み方向Ｚに切断することで形成されており、それぞれ縦方向Ｘに延びている。図２の例において、スリットＳが、吸収体１１の厚み方向Ｚ全体に形成されているが、厚み方向Ｚの一部に形成されてもよい。
スリットＳは、高坪量部４３及び低坪量部４４の双方に形成されている。スリットＳは、中間領域Ｍ２の他、前方領域Ｍ１及び後方領域Ｍ３に形成されていてもよい。
【００４５】
これにより、本体Ｍが横方向Ｙからの外力を受けた場合、隣接するスリットＳ間の領域が肌方向に隆起するように変形でき、当該外力を緩和させることができる。したがって、横方向Ｙの外力が付加された場合でも、上述の非圧搾領域Ｎ１，Ｎ２における変形が確実に発現される。
【００４６】
［本実施形態の追加説明］
以下、本実施形態の説明を補足する。
【００４７】
（非圧搾領域の寸法）
第１非圧搾領域Ｎ１及び第２非圧搾領域Ｎ２の縦方向Ｘにおける長さは、上記変形を確実に発現させる観点から、好ましくは４ｍｍ以上、更に好ましくは６ｍｍ以上であり、また、好ましくは２０ｍｍ以下、更に好ましくは１５ｍｍ以下である。
【００４８】
（圧搾溝の他の構成）
図１に示すように、圧搾溝６は、上述の各構成の他、後方領域Ｍ３において後方溝６３よりも横方向Ｙの内方に位置する内方溝６４をさらに有してもよい。内方溝６４は、ナプキン１の着用時に着用者の臀部の溝に沿うことで、後ろ漏れを効果的に防止し得る。
また、圧搾溝６は、横方向Ｙにおける液漏れ防止等の観点から、中間領域Ｍ２において中間溝６２よりも横方向Ｙの内方に位置し縦方向Ｘに延びる補助溝をさらに有していてもよい（図示せず）。この補助溝は、例えば左右に１対又は複数対形成されていてもよい。なお、中間溝６２を含めて中間領域Ｍ２に複数対の縦溝が存在する場合は、最も横方向Ｙ外方に位置する一対の縦溝を中間溝６２とする。
【００４９】
（吸収体の坪量）
吸収体４の高坪量部４３の坪量は、好ましくは１６０ｇ／ｍ２以上８００ｇ／ｍ２以下であり、より好ましくは２５０ｇ／ｍ２以上６５０ｇ／ｍ２以下である。
また、低坪量部４４の坪量は、好ましくは１００ｇ／ｍ２以上４００ｇ／ｍ２以下であり、より好ましくは１５０ｇ／ｍ２以上２５０ｇ／ｍ２以下である。
【００５０】
（吸収体の坪量の測定方法）
吸収体４の測定対象領域を、フェザー社製片刃剃刀を用いて切断し、あらかじめ定めた面積となるように小片を得る。それらの小片の重量を電子天秤（Ａ＆Ｄ社製電子天秤ＧＲ−３００、精度：小数点以下４桁）を用いて測定する。求めた重量を各部の小片の面積で除して小片の坪量を算出する。各部のそれぞれについて、小片５個の坪量の平均を坪量とする。
【００５１】
（吸収体の厚み）
吸収体４は、高坪量部４３の厚みが、好ましくは０．７ｍｍ以上、更に好ましくは１ｍｍ以上であり、また、好ましくは５ｍｍ以下、更に好ましくは４ｍｍ以下である。より具体的には、高坪量部４３の厚みは０．７ｍｍ以上５ｍｍ以下が好ましく、更には１ｍｍ以上４ｍｍ以下であることが好ましい。高坪量部４３の厚みをこの範囲とすることで、高坪量部４３が形成されている中間領域Ｍ２における良好な着用感と高い吸収性能とを両立することが容易となる。
低坪量部４４の厚みは、好ましくは０．３ｍｍ以上、更に好ましくは０．５ｍｍ以上であり、また、好ましくは３ｍｍ以下、更に好ましくは２．５ｍｍ以下である。より具体的には、低坪量部４４の厚みは、０．５ｍｍ以上３ｍｍ以下、更には０．６ｍｍ以上２．５ｍｍ以下であることが、高い吸収性能と着用者の動きへの追従性を高める観点から好ましい。
【００５２】
また、吸収体４において、高坪量部４３と低坪量部４４との境界又はその近傍における両者の厚み差（段差）は２ｍｍ以下であることが好ましく、更に１．５ｍｍ以下であることが好ましい。この目的は、中間領域Ｍ２において、高坪量部４３と低坪量部４４との境界付近におけるヨレの発生を抑制することである。この段差が大きいと、着用中にナプキン１が着用者の動きに追従した際、段差による隙間を埋めようとするため、結果として段差の影響でヨレが生じ易くなることがあるが、該段差を上記範囲内に設定とすることで、中間領域Ｍ２におけるヨレの発生を抑える効果が高まる。上述した吸収体４の各部の厚みは下記方法により測定される。
【００５３】
（吸収体の厚みの測定方法）
測定対象物である吸収体４を水平な場所にシワや折れ曲がりがないように静置し、５ｃＮ／ｃｍ2の荷重下での厚みを測定する。本発明における厚みの測定には、厚み計PEACOCKDIAL UPRIGHT GAUGES R5-C(OZAKI MFG.CO.LTD.製）を用いた。このとき、厚み計の先端部と測定対象物における測定部分との間に、平面視円形状又は正方形状のプレート（厚さ５ｍｍ程度のアクリル板）を配置して、荷重が５ｃＮ／ｃｍ2となるようにプレートの大きさを調整する。
【００５４】
（サイドシートの構成）
図１に示すように、一対のサイドシート５は、それぞれ、中間領域Ｍ２に位置する線状の第１接合線５１と、第１接合線５１の縦方向Ｘの前後（前方領域Ｍ１及び後方領域Ｍ３）に位置する線状の第２接合線５２とで表面シート２に接合されている。第１接合線５１は、平面視において横方向Ｙの外方に向けて凸の曲線状であり、第２接合線５２は、平面視において縦方向Ｘに交差するように延びる線状（ジグザグ線状）である。このように、サイドシート５が接合線５１，５２にて本体Ｍの肌対向面（表面シート２）に接合されていると、図２に示すように、接合線５１，５２よりも横方向Ｙの内方に、サイドシート５と表面シート２とにより空間部Ｐが形成される。この空間部Ｐは、本体Ｍの横方向Ｙの中央に向けて開口しているので、横方向Ｙの中央から外方へ流れる経血等の排泄液は空間部Ｐに収容されるようになり、結果として液の漏れが効果的に防止される。
【００５５】
以上、本発明の実施形態について説明したが、本発明は上述の実施形態にのみ限定されるものではなく、本発明の要旨を逸脱しない範囲内において種々変更を加え得ることは勿論である。例えば、吸収体４の高坪量部４３の縦方向Ｘの縁は横方向Ｙに平行な直線形状に変えて、縦方向Ｘ外方へ凸の曲線であってもよい。その場合、高坪量部４３の前端縁の全てが非圧搾領域Ｎ１に入っていることが好ましいが、前端縁の全長の５％以下で非圧搾領域Ｎ１と重なっていなくても良い。また、上述の実施形態では、長方形状の高坪量部４３であったが、これに変えて、六角形形状であっても良い。この場合、前端及び後端には横方向Ｙに沿ってそれぞれ六角形の１辺が位置し、縦方向Ｘに対して傾斜した方向に、横方向Ｙの両側にそれぞれ２辺が位置する形状が好ましい。
【００５６】
以上の実施形態では、吸収性物品として生理用ナプキンの例を示したが、これに限定されない。本発明の吸収性物品は、例えば、尿取りパットやおりものシート、使い捨ておむつ等であってもよい。
【符号の説明】
【００５７】
１…ナプキン（吸収性物品）
２…表面シート
３…裏面シート
４…吸収体
６…圧搾溝
６１…前方溝
６２…中間溝
６３…後方溝
Ｎ１…第１非圧搾領域
Ｎ２…第２非圧搾領域
Ｆ１，Ｆ２…個装折り線
Ｗ…ウイング部
Ｗａ…基端部
Ｍ…本体
【図１】
2020039509.tif 000003
【図２】
2020039509.tif 000004